(57)【要約】【課題】演出効果を向上する。【解決手段】所定の契機で、複数の選択項目のいずれかを選択させるための選択画像を画像表示部に表示し、操作部に対する操作に応じて前記複数の選択項目のいずれかを仮選択するとともに、仮選択された選択項目に対応する音声の出力、および、仮選択された選択項目に対応する動画像の表示の一方または双方を行い、選択画像が前記画像表示部に表示されている間に、操作部に対する操作に応じて複数の選択項目のいずれかを決定した場合、選択画像が非表示になると、画像表示部における選択画像と重複する領域に、決定した選択項目に対応する動画像を最初から表示するとともに、決定された選択項目に対応する音声を最初から音声出力部により出力させる。【選択図】図９
2019115589.tif 000002
【特許請求の範囲】
【請求項１】
遊技者の操作を受け付ける操作部と、
画像を表示する画像表示部と、
音声を出力する音声出力部と、
前記画像表示部に表示する画像、および、前記音声出力部から出力される音声を制御する演出制御手段と、
を備え、
前記演出制御手段は、
所定の契機で、複数の選択項目のいずれかを選択させるための選択画像を前記画像表示部に表示し、前記操作部に対する操作に応じて前記複数の選択項目のいずれかを仮選択するとともに、仮選択された選択項目に対応する音声の出力、および、仮選択された選択項目に対応する動画像の表示の一方または双方を行い、
前記選択画像が前記画像表示部に表示されている間に、前記操作部に対する操作に応じて複数の選択項目のいずれかを決定した場合、前記選択画像が非表示になると、前記画像表示部における前記選択画像と重複する領域に、前記決定した選択項目に対応する動画像を最初から表示するとともに、前記決定した選択項目に対応する音声を最初から前記音声出力部により出力させる遊技機。
【請求項２】
遊技者の操作を受け付ける操作部と、
画像を表示する画像表示部と、
音声を出力する音声出力部と、
前記画像表示部に表示する画像、および、前記音声出力部から出力される音声を制御する演出制御手段と、
を備え、
前記演出制御手段は、
所定の契機で、複数の選択項目のいずれかを選択させるための選択画像を前記画像表示部に表示し、前記操作部に対する操作に応じて前記複数の選択項目のいずれかを仮選択するとともに、仮選択された選択項目に対応する音声の途中部分の出力、および、仮選択された選択項目に対応する動画像の途中部分の表示の一方または双方を行い、
前記選択画像が前記画像表示部に表示されている間に、前記操作部に対する操作に応じて複数の選択項目のいずれかを決定した場合、前記選択画像が非表示になると、前記決定した選択項目に対応する動画像を最初から表示するとともに、前記決定した選択項目に対応する音声を最初から前記音声出力部により出力させる遊技機。
【請求項３】
遊技者の操作を受け付ける操作部と、
画像を表示する画像表示部と、
音声を出力する音声出力部と、
前記画像表示部に表示する画像、および、前記音声出力部から出力される音声を制御する演出制御手段と、
を備え、
前記演出制御手段は、
所定の契機で、複数の選択項目のいずれかを選択させるための選択画像を前記画像表示部に表示し、前記操作部に対する操作に応じて前記複数の選択項目のいずれかを仮選択するとともに、仮選択された選択項目に対応する音声の出力、および、仮選択された選択項目に対応する動画像の表示を行い、
前記選択画像が前記画像表示部に表示されている間に、仮選択されている前記選択項目が変更されなかった場合、前記選択画像が表示される前に出力していた音声または表示されていた動画像の再生を、前記選択画像の表示中および前記選択画像が非表示となった後も継続する遊技機。
【発明の詳細な説明】
【技術分野】
【０００１】
本発明は、動画像を表示する遊技機に関する。
【背景技術】
【０００２】
遊技機としてのスロットマシンでは、遊技の進行に際し、遊技者の有利度合い（遊技利益）を異にする複数の遊技状態や演出状態が設けられている。例えば、ボーナス役に対応する図柄組み合わせを有効ライン上に表示することで、通常遊技状態より、遊技者がメダルを獲得し易いボーナス遊技状態に移行する仕様を採用しているスロットマシンがある。
【０００３】
このようなスロットマシンでは、ボーナス遊技状態において、画像表示部に表示される画像が異なる複数の演出モードを、操作部に対する遊技者の操作に応じて選択させ、選択させた演出モードに対応する画像を画像表示部に表示するものが提案されている（例えば、特許文献１）。
【先行技術文献】
【特許文献】
【０００４】
【特許文献１】特開２００７−３１９５６２号公報
【発明の概要】
【発明が解決しようとする課題】
【０００５】
ところで、操作部に対する遊技者の操作に応じて、複数の楽曲のいずれかを選択させる場合、例えば、複数の楽曲の中から仮選択された楽曲に対応する音声を出力し、その楽曲に対応する音声を確認させることが考えられる。そして、仮選択された楽曲が決定された場合に、出力されていた音声を、その続きから出力するとなると、音声に合わせて動画像も途中から表示することになる。このような場合、動画像を遊技者に中途半端に見せることになり、演出効果が低下してしまうおそれがある。
【０００６】
本発明は、このような課題に鑑み、演出効果を向上することが可能な遊技機を提供することを目的としている。
【課題を解決するための手段】
【０００７】
上記課題を解決するために、本発明の遊技機は、遊技者の操作を受け付ける操作部と、画像を表示する画像表示部と、音声を出力する音声出力部と、前記画像表示部に表示する画像、および、前記音声出力部から出力される音声を制御する演出制御手段と、を備え、前記演出制御手段は、所定の契機で、複数の選択項目のいずれかを選択させるための選択画像を前記画像表示部に表示し、前記操作部に対する操作に応じて前記複数の選択項目のいずれかを仮選択するとともに、仮選択された選択項目に対応する音声の出力、および、仮選択された選択項目に対応する動画像の表示の一方または双方を行い、前記選択画像が前記画像表示部に表示されている間に、前記操作部に対する操作に応じて複数の選択項目のいずれかを決定した場合、前記画像表示部における前記選択画像と重複する領域に、前記決定した選択項目に対応する動画像を最初から表示するとともに、前記決定した選択項目に対応する音声を最初から前記音声出力部により出力させる。
【０００８】
また、本発明の遊技機は、遊技者の操作を受け付ける操作部と、画像を表示する画像表示部と、音声を出力する音声出力部と、前記画像表示部に表示する画像、および、前記音声出力部から出力される音声を制御する演出制御手段と、を備え、前記演出制御手段は、所定の契機で、複数の選択項目のいずれかを選択させるための選択画像を前記画像表示部に表示し、前記操作部に対する操作に応じて前記複数の選択項目のいずれかを仮選択するとともに、仮選択された選択項目に対応する音声の途中部分の出力、および、仮選択された選択項目に対応する動画像の途中部分の表示の一方または双方を行い、前記選択画像が前記画像表示部に表示されている間に、前記操作部に対する操作に応じて複数の選択項目のいずれかを決定した場合、前記選択画像が非表示になると、前記決定した選択項目に対応する動画像を最初から表示するとともに、前記決定した選択項目に対応する音声を最初から前記音声出力部により出力させる。
【０００９】
また、本発明の遊技機は、遊技者の操作を受け付ける操作部と、画像を表示する画像表示部と、音声を出力する音声出力部と、前記画像表示部に表示する画像、および、前記音声出力部から出力される音声を制御する演出制御手段と、を備え、前記演出制御手段は、所定の契機で、複数の選択項目のいずれかを選択させるための選択画像を前記画像表示部に表示し、前記操作部に対する操作に応じて前記複数の選択項目のいずれかを仮選択するとともに、仮選択された選択項目に対応する音声の出力、および、仮選択された選択項目に対応する動画像の表示の一方または双方を行い、前記選択画像が前記画像表示部に表示されている間に、仮選択されている前記選択項目が変更されなかった場合、前記選択画像が表示される前に出力していた音声または表示されていた動画像の再生を、前記選択画像の表示中および前記選択画像が非表示となった後も継続して出力する。
【発明の効果】
【００１０】
本発明によれば、演出効果を向上することが可能となる。
【図面の簡単な説明】
【００１１】
【図１】スロットマシンの概略的な機械的構成を説明するための外観図である。
【図２】スロットマシンの概略的な機械的構成を説明するための前面扉を開いた状態での外観図である。
【図３】リールの図柄配列および有効ラインを示す図である。
【図４】スロットマシンの概略的な電気的構成を示したブロック図である。
【図５】当選役を説明するための説明図である。
【図６】当選種別抽選テーブルを示す図である。
【図７】遊技状態の遷移を説明するための説明図である。
【図８】ボーナス遊技状態における演出を説明する図である。
【図９】楽曲選択の時系列を説明する図である。
【図１０】主制御基板のメイン処理を示したフローチャートである。
【図１１】副制御基板のサブ処理を示したフローチャートである。
【図１２】コマンド受信処理を示したフローチャートである。
【図１３】検出信号解析処理を示したフローチャートである。
【発明を実施するための形態】
【００１２】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１３】
本発明の実施形態の理解を容易にするため、まず、遊技者が遊技可能なスロットマシン（遊技機）の機械的構成および電気的構成を簡単に説明し、その後、スロットマシンの各基板における具体的な処理（役構成や遊技状態の遷移）および本実施形態で特徴的な処理を説明し、これらを実現するためのフローチャートを詳述する。
【００１４】
（スロットマシン１００の機械的構成）
図１および図２の外観図に示すように、遊技機としてのスロットマシン１００は、前面が開口した筐体１０２と、筐体１０２の前面一端に回動可能に上下に並んで配置される前面上扉１０４および前面下扉１０６とが設けられている。前面上扉１０４の下部略中央には、ガラス板や透明樹脂板等で構成された無色透明の図柄表示窓１０８が設けられており、筐体１０２内の図柄表示窓１０８に対応する位置には、３つのリール１１０（左リール１１０ａ、中リール１１０ｂ、右リール１１０ｃ）が、それぞれ独立して回動可能に設けられている。左リール１１０ａ、中リール１１０ｂ、右リール１１０ｃには、図３（ａ）の図柄配列に示すように、２０に等分された各領域に複数種類の図柄がそれぞれ配列されており、遊技者は、図柄表示窓１０８を通じて、上段、中段、下段に位置する、左リール１１０ａ、中リール１１０ｂ、右リール１１０ｃそれぞれの３つの連続する合計９個の図柄を視認することができる。
【００１５】
前面下扉１０６の上部には操作部設置台１１２が形成され、操作部設置台１１２には、メダル投入部１１４、ベットスイッチ１１６、スタートスイッチ１１８、ストップスイッチ１２０、演出スイッチ１２２等が設けられている。メダル投入部１１４は、メダル投入口１１４ａを通じて遊技媒体としてのメダルの投入を受け付ける。ベットスイッチ１１６は、スロットマシン１００の内部に電気的に貯留（以下、単にクレジットという）されているメダルのうち、１遊技で必要とされる規定数のメダルを投入（ベット）する。
【００１６】
スタートスイッチ１１８は、例えば傾倒操作を検出可能なレバーで構成され、遊技者による遊技の開始操作を検出する。ストップスイッチ１２０（ストップスイッチ１２０ａ、ストップスイッチ１２０ｂ、ストップスイッチ１２０ｃ）は、左リール１１０ａ、中リール１１０ｂ、右リール１１０ｃそれぞれに対応して設けられており、遊技者の停止操作を検出する。なお、ストップスイッチ１２０の停止操作が可能な状態で、遊技者が、ストップスイッチ１２０ａ、ストップスイッチ１２０ｂ、ストップスイッチ１２０ｃのいずれかを最初に停止操作することを第１停止といい、第１停止の後、停止操作されていない２つのストップスイッチ１２０のいずれかを停止操作することを第２停止といい、第２停止の後、最後に残ったストップスイッチ１２０を停止操作することを第３停止という。
【００１７】
演出スイッチ（操作部）１２２は、例えば、上ボタンスイッチ（以下では、上ボタンと称する）、下ボタンスイッチ（以下では、下ボタンと称する）、右ボタンスイッチ（以下では、右ボタンと称する）、左ボタンスイッチ（以下では、左ボタンと称する）、決定ボタンスイッチ（以下では、決定ボタンと称する）および戻るボタンスイッチ（以下では、戻るボタンと称する）を含む複数の押圧スイッチにより構成されている。
【００１８】
前面上扉１０４の略中央および前面下扉１０６の略中央には、演出に伴う様々な画像を表示する上方液晶表示部（画像表示部）１２４ａおよび下方液晶表示部１２４ｂが設けられている。また、前面上扉１０４の左右には、例えば高輝度の発光ダイオード（ＬＥＤ）によって構成される演出用ランプ１２６が設けられる。また、前面下扉１０６の裏面における左右位置には、効果音や楽音等による聴覚的な演出を行うスピーカ（音声出力部）１２８が設けられている。
【００１９】
操作部設置台１１２には、メインクレジット表示部１３０およびメイン払出表示部１３２が設けられている。メインクレジット表示部１３０にはクレジットされているメダルの枚数（クレジット枚数）が表示され、メイン払出表示部１３２にはメダルの払出枚数が表示される。
【００２０】
筐体１０２内におけるリール１１０の下方には、メダル排出口１４０ａからメダルを払い出すためのメダル払出装置（メダルホッパー）１４２が設けられている。また、前面下扉１０６の前面下部には、メダル排出口１４０ａから払い出されたメダルを貯留するための受け皿部１４０が設けられている。また、筐体１０２内には、電源スイッチ１４４が設けられている。電源スイッチ１４４は、スロットマシン１００を管理する管理者が操作し、電源の切断状態と電源の投入状態の２つの状態を切り換えるために用いられる。
【００２１】
また、筐体１０２内には、後述する主制御基板２００に、図示しない設定キーおよび設定変更スイッチ（これらを合わせて設定値設定手段という）が設けられている。スロットマシン１００では、設定キーに所定の鍵（操作キー）が挿入されてＯＦＦの位置からＯＮの位置へ回転された状態で電源スイッチ１４４を介して電源が投入されると設定変更モードに移行し、設定値（有利度合いを段階的に示したもの）の変更（単に設定変更ともいう）が可能な状態となる。そして、設定変更が可能な状態において設定変更スイッチが押下される度に設定値が１ずつ加算され、例えば、６段階の設定値のうちのいずれかの設定値に変更され、スタートスイッチ１１８が操作されると、設定値が確定し、設定キーを元の位置（ＯＦＦの位置）に戻すことで設定変更モードが終了して遊技が可能となる。なお、設定変更は、電源スイッチ１４４が操作されて電源の投入状態となってから一定期間のみ可能となっている。なお、本実施形態では、設定値１が最も有利度合いが低く、設定値６が最も有利度合いが高く、設定値１から設定値６にかけて順に有利度合いが高くなるように設定されている。
【００２２】
スロットマシン１００では、遊技が開始可能となり、規定数のメダルがベットされると、有効ラインが有効化するとともに、スタートスイッチ１１８に対する操作が有効となる。ここで、ベットは、ベットスイッチ１１６の操作を通じてクレジットされているメダルを投入する場合と、メダル投入部１１４を通じてメダルを投入する場合と、詳しくは後述するリプレイ役が有効ライン上に表示されたことに基づいてメダルを自動投入する場合のいずれも含む。また、有効ラインは、当選役の入賞を判定するためのラインであり、本実施形態では５本である。図３（ｂ）に示すように、図柄表示窓１０８に臨む９つの図柄（３リール×上中下の３段）のうち、有効ラインＡは、左リール１１０ａの中段、中リール１１０ｂの中段、右リール１１０ｃの中段に停止する図柄に対応する位置を結んだラインに設定され、有効ラインＢ１は、左リール１１０ａの上段、中リール１１０ｂの上段、右リール１１０ｃの上段に停止する図柄に対応する位置を結んだラインに設定され、有効ラインＢ２は、左リール１１０ａの下段、中リール１１０ｂの下段、右リール１１０ｃの下段に停止する図柄に対応する位置を結んだラインに設定され、有効ラインＣ１は、左リール１１０ａの上段、中リール１１０ｂの中段、右リール１１０ｃの下段に停止する図柄に対応する位置を結んだラインに設定され、有効ラインＣ２は、左リール１１０ａの下段、中リール１１０ｂの中段、右リール１１０ｃの上段に停止する図柄に対応する位置を結んだラインに設定されている（以下、有効ラインＡ、Ｂ１、Ｂ２、Ｃ１、Ｃ２を単に「有効ライン」と略す場合がある）。
【００２３】
そして、遊技者によりスタートスイッチ１１８が操作されると、遊技が開始され、左リール１１０ａ、中リール１１０ｂ、右リール１１０ｃが回転されるとともに、当選種別抽選等が実行される。その後、ストップスイッチ１２０ａ、１２０ｂ、１２０ｃの操作に応じて、対応する左リール１１０ａ、中リール１１０ｂ、右リール１１０ｃをそれぞれ停止させる。そして、当選種別抽選の抽選結果および有効ラインに表示された図柄の組み合わせによって、メダルの払い出しを受け得る当選役が入賞した場合にはメダルの払い出しが実行され、メダルの払い出しを受け得る当選種別に非当選であった場合または当選したが入賞しなかった場合には左リール１１０ａ、中リール１１０ｂ、右リール１１０ｃが全て停止したことをもって、遊技が終了する。
【００２４】
なお、本実施形態において、上記１遊技は、メダル投入部１１４を通じたメダルの投入、ベットスイッチ１１６の操作を通じたクレジットされているメダルの投入、または、リプレイ役が有効ライン上に表示されたことに基づくメダルの自動投入のいずれかが行われてから、遊技者によるスタートスイッチ１１８の操作に応じて、左リール１１０ａ、中リール１１０ｂ、右リール１１０ｃが回転制御されるとともに当選種別抽選が実行され、当選種別抽選の抽選結果および遊技者による複数のストップスイッチ１２０ａ、１２０ｂ、１２０ｃの操作に応じて、操作されたストップスイッチ１２０ａ、１２０ｂ、１２０ｃに対応する左リール１１０ａ、中リール１１０ｂ、右リール１１０ｃがそれぞれ停止制御され、メダルの払い出しを受け得る当選役が入賞した場合、そのメダルの払い出しが実行されるまでの遊技をいう。また、メダルの払い出しを受け得る当選種別に非当選であった場合または当選したが入賞しなかった場合、左リール１１０ａ、中リール１１０ｂ、右リール１１０ｃが全て停止したことをもって１遊技が終了する。ただし、１遊技の開始を、上記のメダルの投入、または、リプレイ役の当選の代わりに、遊技者によるスタートスイッチ１１８の操作と読み替えてもよい。また、かかる１遊技が繰り返される数を遊技数とする。
【００２５】
（スロットマシン１００の電気的構成）
図４は、スロットマシン１００の概略的な電気的構成を示したブロック図である。図４に示すように、スロットマシン１００は、遊技の進行を制御する主制御基板２００と、遊技の進行に応じた演出を制御する副制御基板２０２とを含む制御基板が設けられている。また、主制御基板２００と副制御基板２０２との間の電気的な信号の伝達は、不正防止等の観点から、主制御基板２００から副制御基板２０２への一方向のみに制限される。
【００２６】
（主制御基板２００）
主制御基板２００は、中央処理装置であるメインＣＰＵ２００ａ、プログラム等が格納されたメインＲＯＭ２００ｂ、ワークエリアとして機能するメインＲＡＭ２００ｃ等を含む半導体集積回路を有し、スロットマシン１００全体を統括的に制御する。なお、メインＲＡＭ２００ｃは、電源が切断された場合においても、設定変更が行われてＲＡＭクリアが実行されない限り、データが消去されることなく保持される。
【００２７】
また、主制御基板２００は、メインＣＰＵ２００ａが、メインＲＯＭ２００ｂに格納されたプログラムに基づきメインＲＡＭ２００ｃと協働することで機能する、初期化手段３００、ベット手段３０２、当選種別抽選手段３０４、リール制御手段３０６、判定手段３０８、払出制御手段３１０、遊技状態制御手段３１２、コマンド送信手段３１４等の機能部を有する。
【００２８】
主制御基板２００では、メダル投入口１１４ａへのメダルの投入を検出する投入メダル検出部１１４ｂ、ベットスイッチ１１６、スタートスイッチ１１８およびストップスイッチ１２０ａ、１２０ｂ、１２０ｃから各種の検出信号を受信しており、受信した検出信号に基づいて、メインＣＰＵ２００ａが種々の処理を実行する。
【００２９】
初期化手段３００は、主制御基板２００における初期化処理を実行する。ベット手段３０２は、遊技に使用するためのメダルをベットする。当選種別抽選手段３０４は、スタートスイッチ１１８の操作に基づき、詳しくは後述するように、当選役の当否、より詳しくは、当選役が含まれる当選種別の当否を決定する当選種別抽選を行う。
【００３０】
リール制御手段３０６は、スタートスイッチ１１８の操作に応じて、左リール１１０ａ、中リール１１０ｂ、右リール１１０ｃを回転制御し、回転している左リール１１０ａ、中リール１１０ｂ、右リール１１０ｃにそれぞれ対応したストップスイッチ１２０ａ、１２０ｂ、１２０ｃの操作に応じて、対応する左リール１１０ａ、中リール１１０ｂ、右リール１１０ｃを停止制御する。
【００３１】
また、主制御基板２００には、リール駆動制御部１５０が接続されている。このリール駆動制御部１５０は、スタートスイッチ１１８の操作信号に応じ、リール制御手段３０６から送信される、左リール１１０ａ、中リール１１０ｂ、右リール１１０ｃの回転開始信号に基づいて、ステッピングモータ１５２を駆動する。また、リール駆動制御部１５０は、ストップスイッチ１２０の操作信号に応じ、リール制御手段３０６から送信される、左リール１１０ａ、中リール１１０ｂ、右リール１１０ｃそれぞれの停止信号および回転位置検出回路１５４の検出信号に基づいて、ステッピングモータ１５２の駆動を停止する。
【００３２】
判定手段３０８は、当選役に対応する図柄組み合わせが有効ライン上に表示されたか否か判定する。ここで、当選役に対応する図柄組み合わせが有効ライン上に表示されることを単に入賞という場合がある。払出制御手段３１０は、当選役に対応する図柄組み合わせが有効ライン上に表示されたこと（入賞したこと）に基づいて、当該当選役に対応する数だけメダルを払い出す。また、主制御基板２００には、メダル払出装置１４２が接続されており、払出制御手段３１０は、メダルの払出枚数を計数しながらメダルを排出する。
【００３３】
遊技状態制御手段３１２は、当選種別抽選の結果や判定手段３０８の判定結果を参照し、複数種類の遊技状態のいずれかに移行させる。
【００３４】
コマンド送信手段３１４は、ベット手段３０２、当選種別抽選手段３０４、リール制御手段３０６、判定手段３０８、払出制御手段３１０、遊技状態制御手段３１２等の動作に伴う、遊技に関するコマンドを順次決定し、決定したコマンドを副制御基板２０２に順次送信する。
【００３５】
また、主制御基板２００には、乱数発生器２００ｄが設けられる。乱数発生器２００ｄは、計数値を順次インクリメントし、所定の数値範囲内でループさせ、所定の時点における計数値を抽出することで乱数を得る。主制御基板２００の乱数発生器２００ｄによって生成される乱数（以下、当選種別抽選乱数という）は、遊技者に付与する遊技利益、例えば、当選種別抽選手段３０４が当選種別を決定するために用いられる。
【００３６】
（副制御基板２０２）
また、副制御基板２０２は、主制御基板２００と同様に、中央処理装置であるサブＣＰＵ２０２ａ、プログラム等が格納されたサブＲＯＭ２０２ｂ、ワークエリアとして機能するサブＲＡＭ２０２ｃ等を含む各種半導体集積回路を有し、主制御基板２００からのコマンドに基づき、特に演出を制御する。また、サブＲＡＭ２０２ｃにもメインＲＡＭ２００ｃ同様、不図示のバックアップ電源が接続されており、電源が切断された場合においても、データが消去されることなく保持される。なお、副制御基板２０２にも、主制御基板２００同様、乱数発生器２０２ｄが設けられており、乱数発生器２０２ｄによって生成される乱数（以下、演出抽選乱数という）は、主に演出の態様を決定するために用いられる。
【００３７】
また、副制御基板２０２では、サブＣＰＵ２０２ａが、サブＲＯＭ２０２ｂに格納されたプログラムに基づき、サブＲＡＭ２０２ｃと協働することで機能する、初期化決定手段３３０、コマンド受信手段３３２、演出制御手段３３４等の機能部を有する。
【００３８】
初期化決定手段３３０は、副制御基板２０２における初期化処理を実行する。コマンド受信手段３３２は、主制御基板２００等、他の制御基板からのコマンドを受信し、コマンドに対する処理を行う。演出制御手段３３４は、演出スイッチ１２２から検出信号を受信するとともに、受信されたコマンドに基づいて液晶表示部１２４、演出用ランプ１２６、スピーカ１２８の各デバイスで行われる遊技の演出を決定する。具体的に、演出制御手段３３４は、上方液晶表示部１２４ａ、下方液晶表示部１２４ｂに表示される画像データや、演出用ランプ１２６等の電飾機器を通じた演出のための電飾データを決定するとともに、スピーカ１２８から出力すべき音声を構成する音声データを決定する。
【００３９】
（主制御基板２００で用いられるテーブル）
図５は、当選役を説明するための説明図であり、図６は、当選種別抽選テーブルを説明するための説明図である。
【００４０】
スロットマシン１００においては、詳しくは後述するように、複数種類の遊技状態および演出状態が設けられており、遊技の進行に応じて遊技状態および演出状態が移行される。そして、主制御基板２００では、遊技状態制御手段３１２により管理、制御される遊技状態に対応する複数の当選種別抽選テーブル等がメインＲＯＭ２００ｂに格納されている。当選種別抽選手段３０４は、メインＲＡＭ２００ｃに記憶された現在の設定値（遊技利益を得る容易性を段階的に示したもの）と現在の遊技状態に応じて、対応する当選種別抽選テーブルをメインＲＯＭ２００ｂから抽出し、抽出した当選種別抽選テーブルに基づき、スタートスイッチ１１８の操作信号に応じて取得された当選種別抽選乱数が当選種別抽選テーブル内のいずれの当選種別に対応するか判定する。
【００４１】
ここで、当選種別抽選テーブルで抽出される当選種別を構成する当選役には、リプレイ役、小役、ボーナス役が含まれる。リプレイ役は、リプレイ役に対応する図柄組み合わせが有効ライン上に表示されると、遊技者によるメダルの新たなベットを行うことなく再度遊技を実行できる役である。小役は、その小役に対応する図柄組み合わせが有効ライン上に表示されることにより、図柄組み合わせに応じて所定枚数のメダルの払い出しを受けることができる役である。また、ボーナス役は、そのボーナス役に対応する図柄組み合わせが有効ライン上に表示されることにより、遊技状態制御手段３１２により管理される遊技状態をボーナス遊技状態へ移行させることができる役である。
【００４２】
本実施形態における当選役は、図５に示すように、リプレイ役として、当選役「リプレイ１」、「リプレイ２」（以下、かかる２個の小役を単に当選役「リプレイ」と略す場合がある）が設けられている。また、小役として、当選役「小役１」〜「小役２２」（以下、かかる２２個の小役を単に当選役「小役」と略す場合がある）が設けられている。また、ボーナス役として、当選役「ＣＢＢ」が設けられている。図５では、左リール１１０ａ、中リール１１０ｂ、右リール１１０ｃそれぞれに、各当選役を構成する図柄が対応付けられている。なお、図５中「ＡＮＹ」は、対応する有効ライン上にいずれの図柄が停止してもよいことを示す。
【００４３】
ここで、本実施形態においては、遊技者によってストップスイッチ１２０が操作されたときに、入賞可能な当選役に対応する図柄組み合わせを構成する図柄が有効ライン上にある場合には、リール制御手段３０６によって、当該図柄が有効ライン上に停止するように停止制御がなされる。また、ストップスイッチ１２０が操作されたときに、入賞可能な当選役に対応する図柄組み合わせを構成する図柄が、有効ライン上にはないが、リール１１０の回転方向と反対の方向の図柄４コマ分に相当する範囲（引込範囲）内に存在している場合には、リール制御手段３０６によって、離れている図柄数が滑りコマ数となり、当該当選役に対応する図柄組み合わせを構成する図柄を有効ライン上に引き込むように滑りコマ数分回転を維持した後に停止するように停止制御がなされる。また、入賞可能な当選役に対応する図柄がリール１１０中に複数あり、いずれもリール１１０の引込範囲内に存在している場合には、予め定められた優先順位に従っていずれの図柄を有効ライン上に引き込むか決定され、当該優先された図柄を有効ライン上に引き込むように滑りコマ数分回転を維持した後に停止するように停止制御がなされる。なお、ストップスイッチ１２０が押圧操作されたときに、入賞可能な当選役以外の当選役に対応する図柄組み合わせを構成する図柄が有効ライン上にある場合には、リール制御手段３０６によって、その図柄を有効ライン上に停止させないようにする、所謂蹴飛ばし処理も並行して実行される。また、後述するように、当選種別に含まれる当選役に操作態様（操作順や操作タイミング）が入賞条件として設定されている場合、リール制御手段３０６は、遊技者の操作態様に応じて当選役に対応する図柄組み合わせを有効ライン上に表示可能に停止制御する。
【００４４】
そして、例えば、当選役「リプレイ１」、当選役「小役１」に対応する図柄組み合わせを構成する図柄は、各リール１１０において、上記の停止制御によって、必ず有効ライン上に表示可能なように配列されている。このような当選役をＰＢ＝１と表す場合がある。一方、例えば、当選役「小役３」〜「小役１２」、当選役「ＣＢＢ」に対応する図柄組み合わせを構成する図柄は、各リール１１０において、上記の停止制御によって、必ずしも有効ライン上に表示可能なように配列されてはいないので、所謂とりこぼしが発生する場合がある。このような当選役をＰＢ≠１と表す場合がある。
【００４５】
図６に示すように、当選種別抽選テーブルでは、複数の当選領域が区画されており、各遊技状態によって抽選の対象となる当選種別が異なったり、ハズレ（不当選）の有無が異なったりする。図６では、各遊技状態（通常遊技状態、内部中遊技状態、当選役「ＣＢＢ」が入賞したボーナス遊技状態）毎に割り当てられた当選領域（当選種別）を「○」で表しているが、実際には、複数の遊技状態それぞれに対応する当選種別抽選テーブルがメインＲＯＭ２００ｂに記憶されている。当選種別抽選テーブルでは、区画化された各当選領域にはそれぞれ当選範囲を示す数値である所定の置数（当選範囲値）と当選種別が対応付けられており、遊技状態毎に割り当てられた全ての当選領域の置数を合計すると当選種別抽選乱数の総数（６５５３６）となる。当選種別抽選手段３０４は、その時点の遊技状態に基づいて、当該当選種別抽選テーブルにおける複数の当選領域のうち番号の高い方から、順次、置数を取得し、その置数を当選種別抽選乱数から減算して、その減算値が０未満となると、その時点の当選領域に対応付けられた当選種別を当選種別抽選の抽選結果としている。
【００４６】
図６の当選種別抽選テーブルによれば、例えば当選領域０には、当選種別「ハズレ」が対応付けられており、かかる当選種別に当選すると、図５に示したいずれの当選役に対応する図柄組み合わせも有効ライン上に表示されることはなく、メダルの払い出し等が行われることはない。ただし、後述するように、ＢＢ内部当選フラグが次遊技に持ち越されている場合、当選種別「ハズレ」の当選により、当選役「ＣＢＢ」に対応する図柄組み合わせを有効ライン上に表示させることが可能となる。
【００４７】
また、当選領域１〜２には、当選役「リプレイ」が単独で、または、複数の当選役「リプレイ」が重複して対応付けられた当選種別「リプレイ１」、「リプレイ２」が配置されている。また、当選領域３〜７には、それぞれ、当選役「小役」が単独で、または、複数の当選役「小役」が重複して対応付けられた当選種別「ベル１」、「ベル２」、「スイカ１」、「スイカ２」、「チェリー」が配置されている。当選領域８〜１４には、それぞれ、当選役「ＣＢＢ」が単独で、または、当選役「ＣＢＢ」と１または複数の当選役「リプレイ」、「小役」とが重複して対応付けられている（以下、かかる７個の当選種別を当選種別「ＣＢＢ」と略す場合がある）。そして、複数の当選役が重複して含まれる当選種別に当選した場合には、いずれの当選役に対応する図柄組み合わせを有効ライン上に優先的に表示させるかが設定されている。
【００４８】
なお、上述したいずれかの当選種別に当選すると、それぞれの当選種別に対応する内部当選フラグが成立（オン）するとともに、この内部当選フラグの成立状況に応じて、各リール１１０の停止制御がなされることとなる。このとき、小役が含まれる当選種別に当選したものの、これら当選役に対応する図柄組み合わせを、その遊技内で有効ライン上に表示させることができなかった場合には、当該遊技の終了後に内部当選フラグがオフされる。つまり、小役の当選の権利は小役が含まれる当選種別に当選した遊技内のみに限られ、当該権利を次遊技に持ち越すことはできない。これに対して、当選種別「ＣＢＢ」に当選した場合には、ＣＢＢ内部当選フラグが成立（オン）するとともに、当選役「ＣＢＢ」に対応する図柄組み合わせが有効ライン上に表示されるまで、ＣＢＢ内部当選フラグが遊技を跨いで持ち越される。なお、リプレイ役である当選種別「リプレイ」に対応する内部当選フラグが成立した場合には、その当選種別に含まれる当選役「リプレイ」のうちのいずれかの当選役「リプレイ」に対応する図柄組み合わせが必ず有効ライン上に表示され、メダルを要することなく次遊技を行うために必要となる処理が行われた後に、当該内部当選フラグがオフされる。
【００４９】
（遊技状態の遷移）
ここで、ＣＢＢ内部当選フラグについて、遊技状態の遷移と合わせて具体的に説明する。当選種別「ＣＢＢ」に当選し、ＣＢＢ内部当選フラグが成立すると、ＣＢＢ内部当選フラグの成立状況に応じて、図７の（１）に示すように、主制御基板２００で管理している遊技状態が、当選種別「ＢＢ」に当選していない通常遊技状態（ボーナス非成立遊技状態）から、ボーナス遊技状態の準備状態に相当する内部中遊技状態（ボーナス成立遊技状態）となり、内部中遊技状態に基づいてリール１１０ａ、１１０ｂ、１１０ｃそれぞれの停止制御がなされる。このとき、当選役「ＣＢＢ」に対応する図柄組み合わせを有効ライン上に表示させることができなかった場合には、そのままＣＢＢ内部当選フラグが次遊技に持ち越され（内部中遊技状態が維持され）、次回以降の遊技においても当選役「ＣＢＢ」に対応する図柄組み合わせを有効ライン上に表示させることが可能となる。そして、遊技者が、当選役「ＣＢＢ」に対応する図柄組み合わせを有効ライン上に表示させると、図７の（２）に示すように、遊技状態が内部中遊技状態からボーナス遊技状態に移行する。また、ボーナス遊技状態において、所定枚数（例えば、１０５枚）を超えるメダルが払い出されると、図７の（３）に示すように、遊技状態が、ボーナス遊技状態から通常遊技状態に移行する。ただし、図７の（４）に破線の矢印で示すように、通常遊技状態における当選役「ＣＢＢ」が成立した遊技で、当選役「ＣＢＢ」に対応する図柄組み合わせを有効ライン上に表示させた場合、内部中遊技状態を経由せず、直接、ボーナス遊技状態に移行する。
【００５０】
（ボーナス遊技状態中の演出）
図８は、ボーナス遊技状態における演出を説明する図である。遊技状態がボーナス遊技状態に移行されると、演出制御手段３３４は、予め準備された複数の楽曲のいずれか１の楽曲（ここでは、楽曲１）を決定し、決定した楽曲１に対応する音声をスピーカ１２８により出力させるとともに、図８（ａ）に示すように、楽曲１に対応するＰＶ画像（動画像）を上方液晶表示部１２４ａに表示する。なお、楽曲は、イントロ、Ａメロ、Ｂメロ、サビ、Ａメロ、Ｂメロ、サビ、・・・となっており、イントロ部分は一度のみ出力され、その後、イントロを除く部分がループして出力される。
【００５１】
なお、遊技状態がボーナス遊技状態に移行された際に決定される楽曲は、複数の楽曲からランダムに決定されてもよく、また、ボーナス遊技状態に移行される度に複数の楽曲が予め決められた順番で決定されてもよい。また、ボーナス遊技状態に移行された場合に決定される楽曲に予め順番が決められており、ボーナス遊技状態の終了後に所定の遊技数が経過する前にさらに当選種別「ＣＢＢ」に当選してボーナス遊技状態に移行された場合（所謂連荘状態）に次の楽曲が決定されるようにしてもよい。
【００５２】
そして、ボーナス遊技状態においては、複数の楽曲の中から、遊技者が所望する楽曲を選択できるようになっている。具体的には、ボーナス遊技状態（例えば、当選役が入賞してから次の遊技が開始されるまでの間）において演出スイッチ１２２の上ボタンまたは下ボタンが押下操作されると（所定の契機）、演出制御手段３３４は、図８（ｂ）に示すように、複数の楽曲（選択項目）のタイトルが上下に並んで表示された楽曲選択画像（選択画像）を上方液晶表示部１２４ａに表示する。ここで、上方液晶表示部１２４ａにおいては、ＰＶ画像が表示される表示領域と、楽曲選択画像が表示される表示領域とが同一であるため（重複しているため）、演出制御手段３３４は、楽曲選択画像を表示すると、それまで表示されていたＰＶ画像を非表示にする。より具体的には、演出制御手段３３４は、レイヤによって上方液晶表示部１２４ａに表示する画像を管理しており、楽曲選択画像がＰＶ画像よりも上位レイヤに設定されている。そして、演出制御手段３３４は、楽曲選択画像を表示する場合、楽曲選択画像およびＰＶ画像を生成することになるが、上位レイヤに設定されている楽曲選択画像のみが上方液晶表示部１２４ａに表示され、下位レイヤに設定されているＰＶ画像が非表示になる。なお、楽曲選択画像が表示されると、楽曲選択画像が表示される前に決定されていた楽曲のＰＶ画像を生成しないようにしてもよい。
【００５３】
また、楽曲選択画像では、図８（ｂ）に示すように、楽曲選択画像が表示される前に決定されていた楽曲（楽曲１）のタイトルがハイライト表示されており、楽曲１が仮選択された状態（一時的に選択されている状態）となっている。このとき、楽曲選択画像が表示される前に決定されていた楽曲１の音声が、画像選択画像が表示される前から継続して出力され続ける。また、楽曲選択画像が表示される前に決定されていた楽曲１のＰＶ画像が生成され続けるが、楽曲１のＰＶ画像は上位レイヤの楽曲選択画像によって非表示となっている。
【００５４】
そして、演出スイッチ１２２の下ボタンが押下操作されると、演出制御手段３３４は、図８（ｃ）に示すように、それまでハイライト表示されていた楽曲１の１つ下の楽曲２のタイトルをハイライト表示するとともに、楽曲２を仮選択し、楽曲２のサビ部分（途中部分）の音声をループしてスピーカ１２８により出力させる。これにより、楽曲２の音声を遊技者に確認させることができる。
【００５５】
また、楽曲１が仮選択された状態で、演出スイッチ１２２の上ボタンが押下操作されると、演出制御手段３３４は、それまでハイライト表示されていた楽曲１の１つ上の楽曲５（ここでは、楽曲１〜楽曲５がループするように設定されており、楽曲１の１つ上の楽曲が楽曲５となる）のタイトルをハイライト表示するとともに、楽曲５を仮選択し、楽曲５に対応する音声を最初からスピーカ１２８により出力させる。
【００５６】
このように、楽曲選択画像が表示されているときに、演出スイッチ１２２の上ボタンまたは下ボタンが押下操作されると、演出制御手段３３４は、操作された上ボタンまたは下ボタンに応じて仮選択される楽曲を変更するとともに、仮選択された楽曲に対応する音声をスピーカ１２８により出力させる。なお、演出制御手段３３４は、演出スイッチ１２２の上ボタンまたは下ボタンの押下操作によって仮選択される楽曲が変更された場合、仮選択された楽曲のサビ部分に対応するＰＶ画像を生成してもよいし、生成しなくてもよいが、仮選択された楽曲のサビ部分に対応するＰＶ画像は上方液晶表示部１２４ａに表示されることはない。
【００５７】
その後、演出スイッチ１２２の決定ボタンが押下操作されると、演出制御手段３３４は、仮選択されていた楽曲を決定（選択）するとともに、楽曲選択画像を非表示にする。また、演出制御手段３３４は、決定した楽曲（例えば、楽曲２）に対応する音声を最初からスピーカ１２８により出力させるとともに、図８（ｄ）に示すように、決定した楽曲（例えば、楽曲２）に対応するＰＶ画像を最初から上方液晶表示部１２４ａに表示する。
【００５８】
なお、楽曲選択画像が表示されている間に仮選択された楽曲が一度も変更されなかった場合、楽曲選択画像が表示されている間も、楽曲選択画像が表示される前に決定されていた楽曲に対応する音声が継続して出力され続け、また、楽曲選択画像が非表示になった後にも、その楽曲が継続して出力され続けることになる。ただし、楽曲選択画像が非表示となった場合に、その楽曲をイントロ（最初）から出力するとともに、ＰＶ画像を最初から表示するようにしてもよい。
【００５９】
図９は、楽曲選択の時系列を説明する図である。図９に示すように、例えば、楽曲１が決定されており、楽曲１に対応する音声がスピーカ１２８により出力されているとともに、楽曲１に対応するＰＶ画像が上方液晶表示部１２４ａに表示されているとする。この状態で演出スイッチ１２２の上ボタンまたは下ボタンが押下操作されると、楽曲選択画像が上方液晶表示部１２４ａに表示される。また、楽曲１が仮選択され、楽曲選択画像において楽曲１のタイトルがハイライト表示されるとともに、楽曲１に対応する音声がスピーカ１２８により出力される。
【００６０】
その後、演出スイッチ１２２の下ボタンが押下操作されると、楽曲２が仮選択され、楽曲選択画像において楽曲２のタイトルがハイライト表示されるとともに、楽曲２に対応する音声がスピーカ１２８により出力される。その後、演出スイッチ１２２の下ボタンがさらに押下操作されると、楽曲３が仮選択され、楽曲選択画像において楽曲３のタイトルがハイライト表示されるとともに、楽曲３に対応する音声がスピーカ１２８により出力される。その後、演出スイッチ１２２の上ボタンが押下操作されると、楽曲２が仮選択され、楽曲選択画像において楽曲２のタイトルがハイライト表示されるとともに、楽曲２に対応する音声がスピーカ１２８により出力される。
【００６１】
そして、演出スイッチ１２２の決定ボタンが押下操作されると、楽曲２が決定されるとともに、楽曲選択画像が非表示となる。また、楽曲２に対応する音声が最初からスピーカ１２８により出力されるとともに、楽曲２に対応するＰＶ画像が最初から上方液晶表示部１２４ａに表示される。
【００６２】
このように、楽曲選択画像が上方液晶表示部１２４ａに表示されている間は、仮選択されている楽曲に対応する音声がスピーカ１２８により出力される一方で、仮選択されている楽曲に対応するＰＶ画像は非表示となっている。これは、楽曲選択画像が表示される表示領域と、ＰＶ画像が表示される表示領域とが重複しているため、楽曲選択画像を表示している間はＰＶ画像を表示することができないからである。
【００６３】
そして、楽曲選択画像を介して１つの楽曲が決定されると、演出制御手段３３４は、決定した楽曲に対応する音声を最初からスピーカ１２８により出力させるとともに、決定した楽曲に対応するＰＶ画像を最初から上方液晶表示部１２４ａに表示する。
【００６４】
ここで、楽曲選択画像において仮選択された楽曲を決定する場合、仮選択されている間に、その仮選択されている楽曲に対応する音声がスピーカ１２８から出力されているので、その続きから音声を出力することも考えられる。しかしながら、音声を続きから出力すると、その音声に合わせてＰＶ画像も途中から表示させることになり、ＰＶ画像が途中から始まることによって演出効果が低下してしまうおそれがある。
【００６５】
そこで、スロットマシン１００では、楽曲選択画像を介して１つの楽曲が決定されると、演出制御手段３３４は、決定した楽曲に対応する音声を最初からスピーカ１２８により出力させるとともに、決定した楽曲に対応するＰＶ画像を最初から上方液晶表示部１２４ａに表示することで、決定した楽曲に対応する音声を遊技者に最初から聞かせることができるとともに、決定した楽曲に対応するＰＶ画像を遊技者に最初から見せることができる。これにより、演出効果を向上することができる。
【００６６】
以下、主制御基板２００、副制御基板２０２における具体的処理をフローチャートに基づいて説明する。
【００６７】
（主制御基板２００のメイン処理）
図１０は、主制御基板２００のメイン処理を示したフローチャートである。ここでは、まず、主制御基板２００のメイン処理に沿って、初期化後の１遊技の概略を説明し、その後、各処理の詳細について説明する。また、ここでは、本実施形態の特徴に関係する処理について詳細に説明し、本実施形態の特徴と無関係の構成については説明を省略する。また、詳細な説明は省略するが、各処理が遂行される際、各処理において用いられるスイッチ（ベットスイッチ１１６、スタートスイッチ１１８、ストップスイッチ１２０ａ、１２０ｂ、１２０ｃ）は、処理の開始時に有効化され、処理の終了時に無効化される。
【００６８】
（ステップＳ１００）
電源スイッチ１４４を介してスロットマシン１００の電源が投入され、通電状態になると、初期化手段３００は、遊技開始に備え初期化処理を実行する。初期化手段３００は、電源が投入されている間、随時バックアップデータを生成し、そのバックアップデータをメインＲＡＭ２００ｃに保持している。したがって、不意の電断が生じたとしても、この初期化処理において、保持されたバックアップデータを用い電断前の状態に復帰させることができる。例えば、回転リール１１０ａ、１１０ｂ、１１０ｃの回転中に不意の電断が起きたとしても、復帰動作後に再度各回転リール１１０ａ、１１０ｂ、１１０ｃが回転している状態から開始される。したがって、初期化処理では、基本的に、メインＲＡＭ２００ｃの初期化（ＲＡＭクリア）は行われない。
【００６９】
（ステップＳ２００）
続いて、遊技者によるベットスイッチ１１６の操作、または、メダル投入部１１４へのメダルの投入を通じ、ベット手段３０２がメダルをベットする。また、コマンド送信手段３１４は、その操作がなされたことを示す投入コマンドを生成し、生成された投入コマンドを副制御基板２０２に送信する。
【００７０】
（ステップＳ３００）
次に、当選種別抽選手段３０４は、スタートスイッチ１１８に対する遊技開始操作を有効化し、スタートスイッチ１１８の操作待ち状態に移行する。ここで、当選種別抽選手段３０４は、遊技者によるスタートスイッチ１１８の操作に応じて、主制御基板２００の乱数発生器２００ｄによって更新された当選種別抽選乱数から、スタートスイッチ１１８が操作された時点における１の当選種別抽選乱数を取得する。そして、当選種別抽選手段３０４は、図７に示した当選種別抽選テーブルから、現在設定されている遊技状態に対応する１の当選種別抽選テーブルを選択するとともに、取得した当選種別抽選乱数が、選択した当選種別抽選テーブルにおけるいずれの当選領域に対応するか判定し、判定された当選領域の当選種別または不当選を抽選結果として決定する。なお、当選種別抽選により当選役「ＣＢＢ」に当選すると、遊技状態制御手段３１２は、遊技状態をボーナス非成立遊技状態からボーナス成立遊技状態に移行する。また、コマンド送信手段３１４は、スタートスイッチ１１８の操作に応じて抽選結果が決定された後、当選種別抽選の抽選結果（当選種別または不当選）や遊技状態に関する情報等を含む当選種別コマンドを生成し、生成された当選種別コマンドを副制御基板２０２に送信する。
【００７１】
（ステップＳ４００）
スタートスイッチ１１８が操作されると、リール制御手段３０６は、ステッピングモータ１５２を駆動して左リール１１０ａ、中リール１１０ｂ、右リール１１０ｃを回転させる。このリール回転処理においては、前回の１遊技における左リール１１０ａ、中リール１１０ｂ、右リール１１０ｃの回転開始時点から所定の時間（例えば４．１秒）が経過すると（ウェイト）、当該遊技における左リール１１０ａ、中リール１１０ｂ、右リール１１０ｃの回転を開始し、左リール１１０ａ、中リール１１０ｂ、右リール１１０ｃの全てが定速回転となったところで、ステップＳ５００に処理を移す。また、リール制御手段３０６は、リール演出を実行する場合もある。
【００７２】
（ステップＳ５００）
続いて、リール制御手段３０６は、ストップスイッチ１２０ａ、１２０ｂ、１２０ｃを有効化し、遊技者によるストップスイッチ１２０ａ、１２０ｂ、１２０ｃの操作を受け付けると、現在の遊技状態に基づいて、その操作に対応する回転リール（左リール１１０ａ、中リール１１０ｂ、右リール１１０ｃのいずれか）を停止制御する。また、コマンド送信手段３１４は、ストップスイッチ１２０ａ、１２０ｂ、１２０ｃのいずれかの操作がなされると、操作がなされたストップスイッチ１２０ａ、１２０ｂ、１２０ｃの情報を示す停止コマンド（第１停止コマンド、第２停止コマンド、第３停止コマンド）を操作の度に生成し、生成された停止コマンドを順次、副制御基板２０２に送信する。
【００７３】
（ステップＳ６００）
次に、判定手段３０８は、有効ライン上に表示された図柄組み合わせが予め定められたどの組み合わせに相当するかを判定し、その図柄組み合わせに応じて遊技状態の変更やリプレイに際して要求される種々の処理を実行する。また、コマンド送信手段３１４は、有効ライン上に表示された図柄組み合わせや、有効ライン上に小役に対応する図柄組み合わせが表示された場合におけるメダルの払出枚数等を含む入賞コマンドを生成し、生成された入賞コマンドを副制御基板２０２に送信する。また、遊技状態制御手段３１２は、当選役「ＣＢＢ」に対応する図柄組み合わせが有効ライン上に表示されたことに基づき、遊技状態をボーナス成立遊技状態からボーナス遊技状態へ移行する。
【００７４】
（ステップＳ７００）
続いて、払出制御手段３１０は、ステップＳ６００における判定結果に基づき、例えば、有効ライン上に小役に対応する図柄組み合わせが表示されると、当該小役に対応するメダルの払出処理を実行し、有効ライン上にリプレイ役に対応する図柄組み合わせが表示されると、自動的に次遊技のベットを行うための処理を実行する。また、遊技状態制御手段３１２は、ボーナス遊技状態においてメダルの所定枚数の払い出しが実行されると、遊技状態をボーナス遊技状態からボーナス非成立遊技状態へ移行する。このように、払出制御手段３１０は、有効ライン上に表示された図柄組み合わせに対応して種々の処理を遂行し、当該１遊技を終了する。また、コマンド送信手段３１４は、メダルの払出処理がなされた場合、払出処理がなされたことを示す払出コマンドを生成し、生成された払出コマンドを副制御基板２０２に送信する。
【００７５】
ステップＳ２００からステップＳ７００までの一連の処理を通じて１遊技が実行される。以後は、ステップＳ２００からステップＳ７００までを繰り返すこととなる。
【００７６】
（副制御基板２０２のサブ処理）
図１１は、副制御基板２０２のサブ処理を示したフローチャートである。ここでは本実施形態の特徴に関係する処理について詳細に説明し、本実施形態の特徴と無関係の構成については説明を省略する。
【００７７】
（ステップＳ１１００）
電源スイッチ１４４を介してスロットマシン１００の電源が投入され、通電状態になると、初期化決定手段３３０は、遊技開始に備え初期化処理を実行する。初期化決定手段３３０は、電源が投入されている間、随時バックアップデータを生成し、そのバックアップデータをサブＲＡＭ２０２ｃに保持している。
【００７８】
（ステップＳ１２００）
コマンド受信手段３３２は、主制御基板２００からのコマンドが受信されているか否か判定する。その結果、コマンドが受信されていれば、ステップＳ１３００に処理を移し、コマンドが受信されていなければ、ステップＳ１４００に処理を移す。
【００７９】
（ステップＳ１３００）
上記ステップＳ１２００においてコマンドが受信されていると判定されれば、コマンド受信手段３３２は、当該受信されたコマンドに基づいて種々の処理を実行する。
【００８０】
（ステップＳ１４００）
演出制御手段３３４は、演出スイッチ１２２の検出信号を解析し、その解析結果に基づいて種々の処理を行う。
【００８１】
（ステップＳ１５００）
演出制御手段３３４は、実行が決定された各種演出の実行情報（タイムテーブル）を参照して、当該タイムテーブルに記憶された該当時間に対応する処理を実行するタイムスケジュール管理処理を行い、ステップＳ１２００からの処理を繰り返す。この処理では、液晶表示部１２４の表示画像を挿入したり切り替えたりし、また、各種のコマンドを各デバイスに送信する。これにより各種演出が実行されることとなる。
【００８２】
（コマンド受信処理Ｓ１３００）
図１２は、上記ステップＳ１３００のコマンド受信処理を示したフローチャートである。ここでは本実施形態の特徴に関係する処理について詳細に説明し、本実施形態の特徴と無関係の構成については説明を省略する。
【００８３】
（ステップＳ１３０１）
まず、コマンド受信手段３３２は、受信したコマンドが投入コマンドであるか否か判定する。その結果、受信したコマンドが投入コマンドであれば、ステップＳ１３０２に処理を移し、受信したコマンドが投入コマンドでなければ、ステップＳ１３０３に処理を移す。
【００８４】
（ステップＳ１３０２）
上記ステップＳ１３０１において受信したコマンドが投入コマンドであると判定されれば、演出制御手段３３４は、次の遊技のための遊技開始準備が行われたとして、それまで実行されていた演出を所定条件下で切り換えたり、終了させたりして、当該投入コマンドに基づく演出をタイムテーブルに設定する。
【００８５】
（ステップＳ１３０３）
続いて、コマンド受信手段３３２は、受信したコマンドが当選種別コマンドであるか否か判定する。その結果、受信したコマンドが当選種別コマンドであれば、１遊技が開始されたとし、ステップＳ１３０４に処理を移し、受信したコマンドが当選種別コマンドでなければ、ステップＳ１３０６に処理を移す。
【００８６】
（ステップＳ１３０４）
上記ステップＳ１３０３において受信したコマンドが当選種別コマンドであると判定されれば、演出制御手段３３４は、当選種別コマンドに基づいて遊技の演出を決定する。また、当選種別コマンドにおいてリール演出が実行されることが示されていれば、そのリール演出に応じた演出を決定する。
【００８７】
（ステップＳ１３０５）
次に、演出制御手段３３４は、決定した演出をタイムテーブルに設定して実行開始する。
【００８８】
（ステップＳ１３０６）
続いて、コマンド受信手段３３２は、受信したコマンドが停止コマンドであるか否か判定する。その結果、受信したコマンドが停止コマンドであれば、ステップＳ１３０７に処理を移し、受信したコマンドが停止コマンドでなければ、ステップＳ１３０８に処理を移す。
【００８９】
（ステップＳ１３０７）
上記ステップＳ１３０６において受信したコマンドが停止コマンドであると判定されれば、演出制御手段３３４は、その停止コマンドが、第１停止コマンド、第２停止コマンド、第３停止コマンドのいずれであるか、また、その停止操作は、ストップスイッチ１２０ａ、１２０ｂ、１２０ｃのいずれになされた停止操作かを判定し、その判定結果と演出の内容に基づいて、種々の処理を行うとともに、タイムテーブルに設定された演出態様を変動させる。
【００９０】
（ステップＳ１３０８）
続いて、コマンド受信手段３３２は、受信したコマンドが入賞コマンドであるか否か判定する。その結果、受信したコマンドが入賞コマンドであれば、ステップＳ１３０９に処理を移し、受信したコマンドが入賞コマンドでなければ、ステップＳ１３１０に処理を移す。
【００９１】
（ステップＳ１３０９）
上記ステップＳ１３０８において受信したコマンドが入賞コマンドであると判定されれば、演出制御手段３３４は、当該入賞コマンドに基づく演出をタイムテーブルに設定する。
【００９２】
（ステップＳ１３１０）
続いて、コマンド受信手段３３２は、受信したコマンドが払出コマンドであるか否か判定する。その結果、受信したコマンドが払出コマンドであれば、ステップＳ１３１１に処理を移し、受信したコマンドが払出コマンドでなければ、当該コマンド受信処理Ｓ１３００を終了する。
【００９３】
（ステップＳ１３１１）
上記ステップＳ１３１０において受信したコマンドが払出コマンドであると判定されれば、演出制御手段３３４は、当該払出コマンドに基づく演出をタイムテーブルに設定し、当該コマンド受信処理Ｓ１３００を終了する。
【００９４】
（検出信号解析処理Ｓ１４００）
図１３は、上記ステップＳ１４００の検出信号解析処理を示したフローチャートである。ここでは本実施形態の特徴に関係する処理について詳細に説明し、本実施形態の特徴と無関係の構成については説明を省略する。
【００９５】
（ステップＳ１４０１）
まず、演出制御手段３３４は、主制御基板２００から受信したコマンドに基づいて、遊技状態がボーナス遊技状態であるか否か判定する。その結果、遊技状態がボーナス遊技状態であれば、ステップＳ１４０２に処理を移し、遊技状態がボーナス遊技状態でなければ、当該検出信号解析処理Ｓ１４００を終了する。
【００９６】
（ステップＳ１４０２）
演出制御手段３３４は、楽曲選択画像を表示中であるか否か判定する。その結果、楽曲選択画像を表示中であれば、ステップＳ１４０７に処理を移し、楽曲選択画像を表示中でなければ、ステップＳ１４０３に処理を移す。
【００９７】
（ステップＳ１４０３）
演出制御手段３３４は、演出スイッチ１２２の上ボタンまたは下ボタンが押下操作されたか否か判定する。その結果、演出スイッチ１２２の上ボタンまたは下ボタンが押下操作されていれば、ステップＳ１４０４に処理を移し、演出スイッチ１２２の上ボタンおよび下ボタンが押下操作されていなければ、当該検出信号解析処理Ｓ１４００を終了する。
【００９８】
（ステップＳ１４０４）
演出制御手段３３４は、楽曲選択画面が表示されるまでに決定されていた楽曲を仮選択する。
【００９９】
（ステップＳ１４０５）
演出制御手段３３４は、楽曲選択画像を上方液晶表示部１２４ａに表示するとともに、上記ステップＳ１４０４で仮選択された楽曲のタイトルをハイライト表示する。
【０１００】
（ステップＳ１４０６）
演出制御手段３３４は、仮選択された楽曲に対応する音声をスピーカ１２８により出力させ、当該検出信号解析処理Ｓ１４００を終了する。
【０１０１】
（ステップＳ１４０７）
演出制御手段３３４は、演出スイッチ１２２の上ボタンまたは下ボタンが押下操作されたか否か判定する。その結果、演出スイッチ１２２の上ボタンまたは下ボタンが押下操作されていれば、ステップＳ１４０８に処理を移し、演出スイッチ１２２の上ボタンおよび下ボタンが押下操作されていなければ、ステップＳ１４０９に処理を移す。
【０１０２】
（ステップＳ１４０８）
演出制御手段３３４は、演出スイッチ１２２の上ボタンまたは下ボタンの押下操作に応じて、仮選択する楽曲を変更する。また、演出制御手段３３４は、仮選択された楽曲のタイトルをハイライト表示し、ステップＳ１４０６に処理を移して、仮選択された楽曲に対応する音声を、スピーカ１２８により出力させる。
【０１０３】
（ステップＳ１４０９）
演出制御手段３３４は、演出スイッチ１２２の決定ボタンが押下操作されたか否か判定する。その結果、演出スイッチ１２２の決定ボタンが押下操作されていれば、ステップＳ１４１０に処理を移し、演出スイッチ１２２の決定ボタンが押下操作されていなければ、当該検出信号解析処理Ｓ１４００を終了する。
【０１０４】
（ステップＳ１４１０）
演出制御手段３３４は、仮選択されていた楽曲を決定（選択）する。
【０１０５】
（ステップＳ１４１１）
演出制御手段３３４は、決定した楽曲に対応する音声を最初から、スピーカ１２８により出力させる。
【０１０６】
（ステップＳ１４１２）
演出制御手段３３４は、決定した楽曲に対応するＰＶ画像を最初から上方液晶表示部１２４ａに表示し、当該検出信号解析処理Ｓ１４００を終了する。
【０１０７】
以上、添付図面を参照しながら本発明の好適な実施形態について説明したが、本発明はかかる実施形態に限定されないことはいうまでもない。当業者であれば、特許請求の範囲に記載された範疇において、各種の変更例または修正例に想到し得ることは明らかであり、それらについても当然に本発明の技術的範囲に属するものと了解される。
【０１０８】
また、上述した実施形態においては、遊技利益（有利な状態）としてボーナス遊技状態を挙げて説明したが、かかる場合に限らず、遊技利益が大きい選択当選役と他の当選役とが重複した選択当選種別であり、ストップスイッチ１２０ａ、１２０ｂ、１２０ｃの操作態様が、複数の操作態様のうちの所定の操作態様（正解操作態様）であること、すなわち、所定の操作順（打順）または所定の操作タイミングあるいはこれらの組み合わせであることが選択当選役の入賞条件として設定された選択当選種別が当選役抽選により決定したときに、演出制御手段３３４が、その選択当選役の入賞条件となる正解操作態様を報知する補助演出を行うことで、当該選択当選役に対応する図柄組み合わせを、遊技者が有効ライン上に容易に表示させることができる、所謂、ＡＴ（アシストタイム）を実行するＡＴ演出状態や、リプレイ役の当選確率が通常遊技より高くなるように設定してメダルの消費を抑えることで、メダルの消費に対する当選役の抽選機会を増やす、ＲＴ（リプレイタイム）遊技状態や、上記のＡＴ演出状態とＲＴ遊技状態が同時に進行されるＡＲＴ遊技状態（特定遊技状態）を設けてもよい。そして、ＡＴ演出状態、ＲＴ遊技状態、ＡＲＴ遊技状態において、ボーナス遊技状態と同様に、複数の楽曲のいずれかに対応する音声を出力するとともに、複数の楽曲のいずれかに対応するＰＶ画像を上方液晶表示部１２４ａに表示するようにしてもよい。また、演出状態や遊技状態に限らず、所謂チャンスゾーンや演出ステージ等、楽曲が選択し得る演出状況において、ボーナス遊技状態と同様に、複数の楽曲のいずれかに対応する音声を出力するとともに、複数の楽曲のいずれかに対応するＰＶ画像を上方液晶表示部１２４ａに表示するようにしてもよい。
【０１０９】
また、上述した実施形態においては、動画像としてＰＶ画像を上方液晶表示部１２４ａに表示するとともに、その動画像に対応する音声をスピーカ１２８から出力する場合について説明したが、例えばキャラクタ画像（動画像）が表示されるとともに、そのキャラクタ画像に合わせて音声がスピーカ１２８から出力される等、動画像および音声の種類は問わない。
【０１１０】
また、上述した実施形態においては、楽曲選択画像とＰＶ画像の表示領域が同一である場合について説明したが、少なくとも一部が重複していればよい。
【０１１１】
また、上述した実施形態においては、楽曲選択画像が表示される場合に、演出スイッチ１２２の下ボタンまたは上ボタンが押下操作されると、演出制御手段３３４は、その操作に応じて仮選択する楽曲を変更するようにしたが、演出スイッチ１２２の下ボタンまたは上ボタンが押下操作されると、演出制御手段３３４は、演出スイッチ１２２の上ボタンまたは下ボタンの押下操作に応じてハイライトするタイトルを変更した後、演出スイッチ１２２の決定ボタンが押下されると、ハイライトされているタイトルに対応する楽曲を仮選択するようにしてもよい。
【０１１２】
また、上述した実施形態においては、楽曲選択画像が表示されている間に仮選択された楽曲に対応する音声を出力するようにしたが、楽曲選択画像が表示されている間に仮選択された楽曲に対応するＰＶ画像の全部または途中部分（サビ部分）を、例えば上方液晶表示部１２４ａの隅にワイプ表示するようにしてもよい。このとき、ＰＶ画像に合わせて音声を出力してもよい。
【０１１３】
また、上述した実施形態においては、選択可能な複数の楽曲（選択項目）についてＰＶ画像および音声がそれぞれ設けられるようにしたが、例えば、ＰＶ画像は全ての楽曲で共通して１つだけが設けられていて、音声がそれぞれ設けられていてもよい。
【０１１４】
また、選択可能な複数の楽曲（選択項目）について、ＰＶ画像はそれぞれ設けられていて、音声が共通して１つだけ設けられていてもよい。この場合、選択対象はＰＶ画像（動画像）であり、例えば、楽曲選択画像において仮選択された楽曲に対応するＰＶ画像の全部または途中部分（サビ部分）を、上方液晶表示部１２４ａの隅にワイプ表示するようにすればよい。また、音声については、仮選択される楽曲が切り替えられたときに、切り替えられる前に出力されていた音声を継続して出力してもよく、途中部分（サビ部分）を最初から再生してもよく、ワイプ表示されたＰＶ画像に合わせて最初から出力してもよい。
【０１１５】
例えば、上述した実施形態では、主制御基板２００と副制御基板２０２とが、遊技を進行するための機能部を分担するように配したが、主制御基板２００の機能部を副制御基板２０２に配しても、副制御基板２０２の機能部を主制御基板２００に配してもよく、また、全ての機能部を１の制御基板に纏めて配することもできる。
【０１１６】
また、上述した主制御基板２００および副制御基板２０２が行う各処理は、必ずしもフローチャートとして記載された順序に沿って時系列に処理する必要はなく、並列的あるいはサブルーチンによる処理を含んでもよい。
【符号の説明】
【０１１７】
１００  スロットマシン（遊技機）
１２２  演出スイッチ（操作部）
１２４ａ  上方液晶表示部（画像表示部）
１２８  スピーカ（音声出力部）
３３４  演出制御手段
【図１】
2019115589.tif 000003
【図２】
2019115589.tif 000004
【図３】
2019115589.tif 000005
【図４】
2019115589.tif 000006
【図５】
2019115589.tif 000007
【図６】
2019115589.tif 000008
【図７】
2019115589.tif 000009
【図８】
2019115589.tif 000010
【図９】
2019115589.tif 000011
【図１０】
2019115589.tif 000012
【図１１】
2019115589.tif 000013
【図１２】
2019115589.tif 000014
【図１３】
2019115589.tif 000015